(57)【要約】【課題】  カセット１を非正規の姿勢でカセット収納部３１にセットした場合に直ちに、且つ正確に検知できるようにする。【解決手段】  印字装置２５における本体ケース２６の奥側に上面開放状のカセット収納部３１を設ける一方、本体ケース２６の後側に回動中心を有する蓋体２７の下面には右左に第１押圧体５１と第２押圧体５２とを下向きに突設する。蓋体２７の回動中心に近い側に回動中心を有する押え部材１５４の先端にバネ押圧部１５５を備える。セットすべきカセット１の奥側の右左に鰭状の第１被検出部１３と第２被検出部１５とを形成する。正規の姿勢でカセット１をカセット収納部３１にセットして蓋体２７を閉じ動作すると、第１被検出部１３に第１押圧体５１が押圧し、第２被検出部１５に第２押圧体５２が押圧し、、バネ押圧部１５５はカセット１の広幅面を押して蓋体２７がきっちりと閉じられる。【選択図】  図１５
2008254449.tif 000002
【特許請求の範囲】
【請求項１】
被印字媒体を収納したカセットと、前記カセットを収納するカセット収納部と、前記カセット収納部に収納された前記カセットの被印字媒体に印字を行なう印字部と、前記カセット収納部の底面に対向して設けられ、前記カセット収納部を覆う位置と、前記カセット収納部を開放する位置との間で移動する蓋体と、前記蓋体の裏面側に設けられ、前記カセットを前記カセット収納部の底面に向かって押えるための少なくとも３つの押圧体とを備えた印字装置であって、
前記カセットには、前記カセット収納部に収納された状態で、前記カセットに収納された前記被印字媒体の幅寸法の大小に拘わらず、前記被印字媒体の幅方向において同一の高さ部位となる位置に形成される被検出部が互いに間隔をおいて複数箇所に形成され、
前記カセットの広幅面は、前記カセットに収納された前記被印字媒体の幅寸法の大小に応じて、前記カセット収納部に収納された状態での高さ位置が異なるように構成され、
前記少なくとも３つの押圧体のうち、少なくとも２つの押圧体は、前記蓋体における前記カセット収納部を覆う面に固定され、
他の１つの押圧体は弾力付勢されるように構成され、
前記蓋体に固定された前記少なくとも２つの押圧体は、前記各被検出部をそれぞれ押圧するように構成され、前記弾力付勢された他の１つの押圧体は、前記カセットの広幅面を押圧するように構成されていることを特徴とする印字装置。
【請求項２】
前記被検出部は、前記カセットの側面から突出する鰭状に形成されていることを特徴とする請求項１に記載の印字装置。
【請求項３】
前記蓋体の裏面に配置され且つ弾力付勢される押さえ板の回動中心は、前記蓋体の前記カセット収納部に対する回動中心に近接した位置に備えられ、
前記蓋体の回動方向と前記押さえ板の回動方向が同一方向に設定され、
前記押さえ板に設けられた前記他の１つの押圧体は、前記押さえ板の回動中心を挟んで、前記蓋体の回動中心と反対側の位置に設けられていることを特徴とする請求項１または２に記載の印字装置。
【発明の詳細な説明】
【技術分野】
【０００１】
本発明は、カセット収納部に収納されたカセットが正規の位置にセットされたか否かを判別できるようにしたカセット収納検出装置等を備えた印字装置の構成に関するものである。
【背景技術】
【０００２】
従来、この種の印字装置は、例えば特許文献１、２、３等に開示されているように、被印字媒体である印字用テープ（フィルムテープ）とインクリボンとをそれぞれ巻回した状態で収納したカセットを収納できる上向き開放状のカセット収納部を備えている。他方、平面視矩形状のカセットには、その一側角部に被検出部としてのセンサ孔を複数下向きに開口するようにして設けて、カセットの種類を検知できるようにしている。即ち、この複数のセンサ孔は、カセットに収納される印字用テープの幅寸法、種類（正像印字するレセプタタイプと、鏡像印字するラミネートタイプ等）、インクリボンの色等の組み合わせに応じて所定のパターン位置に設けられる。前記カセット収納部には前記センサ孔に対応して、検知部としてのＯＮ・ＯＦＦスイッチ群が上向き突出するように設けられており、センサ孔にスイッチの先端が嵌まるとき、ＯＦＦ信号となり、センサ孔が無いことによりスイッチの先端がカセットにて押されるとＯＮ信号となる。このＯＮ・ＯＦＦ信号の組み合わせにてカセットの種類が判別できるものであった。
【０００３】
他方、特許文献４では、平面視矩形状のカセットの三隅にカセットの側面から突出する鰭状の位置合わせ部が形成されている。そして、カセット収納部を覆うケース蓋の回動中心に近い側に位置する１つの位置合わせ部はカセット収納部の載置部に設けられかカセット有無検出スイッチに当接することで、カセット収納部にカセットが収納されたか否かを判別する。ケース蓋の回動中心から遠い側の２つの位置合わせ部は他の載置部に載ることで、装着位置、特に上下方向の位置を規定するように構成されている。さらに、ケース蓋の裏面には、カセットの広幅面を押圧するための板バネが設けられている。
【特許文献１】特開平７−６８８１４号公報
【特許文献２】特開平７−３１４８６６号公報
【特許文献３】特開平８−１１８７３８号公報等
【特許文献４】特開平６−１２７０９４号公報等
【発明の開示】
【発明が解決しようとする課題】
【０００４】
しかしながら、従来のカセットにおける被検出部は、当該カセットの一側角部のみに設けられていたため、そのカセットをカセット収納部にセット（挿入）したとき、カセットのセット姿勢が左右あるいは上下の斜め方向にずれていても、前記被検出部がたまたま検知部の位置に合致しておれば、カセットのセット完了信号が出てしまう。この状態で印字用テープに印字を行なうと、印字位置が正規の位置からずれたり、インクリボンや印字用テープの搬送がずれたりし、ひどい場合にはこれらが破損、切断するという不都合があった。
【０００５】
本発明は、従来の前記不都合を解消するためになされたものであって、カセット収納部において、カセットが正規の位置及び姿勢でセットされているか否かを容易に且つ正確に判別できるようにした印字装置を提供することを目的とするものである。
【課題を解決するための手段】
【０００６】
前記目的を達成するため、請求項１に記載の発明の印字装置は、被印字媒体を収納したカセットと、前記カセットを収納するカセット収納部と、前記カセット収納部に収納された前記カセットの被印字媒体に印字を行なう印字部と、前記カセット収納部の底面に対向して設けられ、前記カセット収納部を覆う位置と、前記カセット収納部を開放する位置との間で移動する蓋体と、前記蓋体の裏面側に設けられ、前記カセットを前記カセット収納部の底面に向かって押えるための少なくとも３つの押圧体とを備えた印字装置であって、前記カセットには、前記カセット収納部に収納された状態で、前記カセットに収納された前記被印字媒体の幅寸法の大小に拘わらず、前記被印字媒体の幅方向において同一の高さ部位となる位置に形成される被検出部が互いに間隔をおいて複数箇所に形成され、前記カセットの広幅面は、前記カセットに収納された前記被印字媒体の幅寸法の大小に応じて、前記カセット収納部に収納された状態での高さ位置が異なるように構成され、前記少なくとも３つの押圧体のうち、少なくとも２つの押圧体は、前記蓋体における前記カセット収納部を覆う面に固定され、他の１つの押圧体は弾力付勢されるように構成され、前記蓋体に固定された前記少なくとも２つの押圧体は、前記各被検出部をそれぞれ押圧するように構成され、前記弾力付勢された他の１つの押圧体は、前記カセットの広幅面を押圧するように構成されているものである。
【０００７】
請求項２に記載の発明は、請求項１に記載の印字装置において、前記被検出部は、前記カセットの側面から突出する鰭状に形成されているものである。
【０００８】
請求項３に記載の発明は、請求項１または２に記載に印字装置において、前記蓋体の裏面に配置され且つ弾力付勢される押さえ板の回動中心は、前記蓋体の前記カセット収納部に対する回動中心に近接した位置に備えられ、前記蓋体の回動方向と前記押さえ板の回動方向が同一方向に設定され、前記押さえ板に設けられた前記他の１つの押圧体は、前記押さえ板の回動中心を挟んで、前記蓋体の回動中心と反対側の位置に設けられているものである。
【発明の効果】
【０００９】
請求項１に記載の発明の印字装置では、前記カセットを前記カセット収納部の底面に向かって押えるための少なくとも３つの押圧体が前記蓋体の裏面側に設けられており、前記カセットには、前記カセット収納部に収納された状態で、前記カセットに収納された前記被印字媒体の幅寸法の大小に拘わらず、前記被印字媒体の幅方向において同一の高さ部位となる位置に形成される被検出部が互いに間隔をおいて複数箇所に形成され、前記カセットの広幅面は、前記カセットに収納された前記被印字媒体の幅寸法の大小に応じて、前記カセット収納部に収納された状態での高さ位置が異なるように構成され、前記少なくとも３つの押圧体のうち、少なくとも２つの押圧体は、前記蓋体における前記カセット収納部を覆う面に固定されているので、被印字媒体の幅寸法の異なるカセットを取り替えてカセット収納部にセットしたときにも、収納状態を正確に検出できる。
【００１０】
一箇所の押圧体のみでカセットを押圧する場合、セットされたカセットの姿勢が傾く等不正確な状態であると、誤った検知をしてしまう場合があるが、本発明においては、カセット収納部内の互いに離れた複数箇所の被検出部に押圧体が位置することにより、カセット収納部において、カセットが正規の位置及び姿勢でセットされているか否かを容易に且つ正確に判別できるという効果を奏する。
【００１１】
そして、カセット収納部に対してカセットが傾斜状に嵌まり、１つ乃至複数の被検出部の箇所が浮き上がった非正規の姿勢でセットされた場合には、上記少なくとも３つの押圧体のうち浮き上がった被検出部に対応する押圧体は、浮き上がった被検出部を正規の位置で押圧することができない。従って、蓋体は、半閉じ状態となり、使用者は、カセットが正規の姿勢でセットされていないことが直ちに判断できるのである。
【００１２】
さらに、弾力付勢された他の１つの押圧体は、前記カセットの広幅面を押圧するように構成されているものであるから、カセット収納部に対してカセットが多少傾斜状に嵌まった場合であっても、蓋体が閉じる方向に向かって回動されるのに伴い、弾力付勢された他の１つの押圧体がカセットをカセット収納部の底面に向かって徐々に強く付勢していく。従って、カセット収納部におけるカセットの姿勢が正規の姿勢に補正され易くなる効果がある。また、蓋体のロック解除のときには、他の１つの押圧体の弾力の反力によって蓋体が自動的に開き回動できる。
【００１３】
請求項３に記載の発明によれば、前記蓋体の裏面に配置され且つ弾力付勢される押さえ板の回動中心は、前記蓋体の前記カセット収納部に対する回動中心に近接した位置に備えられ、前記蓋体の回動方向と前記押さえ板の回動方向が同一方向に設定され、前記押さえ板に設けられた前記他の１つの押圧体は、前記押さえ板の回動中心を挟んで、前記蓋体の回動中心と反対側の位置に設けられているものである。従って、押さえ板に設けられた前記他の１つの押圧体は、押さえ板と一体になってカセット収納部にセットされたカセットへ向かって付勢されることになる。これにより、カセット収納部の上方で、蓋体が閉じていくにしたがって、カセットへ向かって押さえ板と一体になって弾力付勢されている押圧体が、カセットをカセット収納部へ向かって付勢していく。よって、カセットが正規の位置から多少ずれてカセット収納部にセットされた状態で、蓋体が閉じられ始めたとしても、上記押圧体がカセットを付勢して正規の位置へ押しやることが可能となる。
【発明を実施するための最良の形態】
【００１４】
次に、本発明を具体化した実施形態について、図１乃至図１４を参照して説明する。図１は実施形態のカセット１の斜視図、図２はカセット１の平面図及び下面図、図３はカセット１の上ケース２を除いた状態の平面図、図４は参考例としての印字テープ作成装置２５であり、カセット収納部３１にカセット１をセットしていない状態の蓋体開き位置の斜視図、図５はカセット収納部３１にカセット１をセットしていない状態の本体ケース２６の平面図、図６はカセット１をカセット収納部３１にセットした状態の蓋体開き位置の印字テープ作成装置２５の斜視図、図７は第１被検出部１３及び検知部の側断面図、図８はカセット収納部３１に１２mm幅のフィルムテープを収納したカセット１を正規の姿勢でセットした状態の要部右側断面図、図９はカセット収納部３１に１２mm幅のフィルムテープを収納したカセット１を正規の姿勢でセットした状態の要部左側断面図、図１０はカセット収納部３１に２４mm幅のフィルムテープを収納したカセット１を正規の姿勢でセットした状態の要部右側断面図、図１１はカセット収納部３１に２４mm幅のフィルムテープを収納したカセット１を正規の姿勢でセットした状態の要部左側断面図、図１２はカセット収納部３１に２４mm幅のフィルムテープを収納したカセット１を非正規の姿勢でセットした状態の要部左側断面図、図１３は蓋体２７の内側を示す平面図、図１４はカセット収納部３１にカセット１をセットした状態の本体ケースの平面図である。
【００１５】
先ず、カセット１の概略構成について図１〜図３に基づき説明する。図１に示すように、カセット１は上ケース２と下ケース３とを有する。カセット１には、後述するテープ状の被印字媒体としてのフィルムテープ１７を巻回したテープスプール１８を回転可能に支持するための支持孔４、後述するサ−マルヘッド４４によりフィルムテープ１７上に文字等を印字する際にリボンスプール２０からインクリボン１９を引き出すとともに巻取るリボン巻取スプール２１を支持するための支持孔５、後述する両面粘着テープ２２の離形紙を外側に向けて巻回したテープスプール２３を回動可能に支持するための支持孔６が形成されている。尚、下ケース３についても同様に上ケース２の各支持孔４、５、６に対向して支持孔４、５、６が形成されている。
【００１６】
また、カセット１の前側（アーム部８の存在する側をいう、以下同じ）には、テープスプール１８から引き出されたフィルムテープ１７、及び、リボンスプール２０から引き出されたインクリボン１９を案内し、開口８Ａから送出するガイド部を構成するアーム部８（詳細な構成については後述する）が設けられており、かかるアーム部８の後方にはテープ印字装置のサーマルヘッド４４（後述する）が、カセット１のセットに際して嵌まる、ヘッド装着部９が設けられている。更に、ヘッド装着部９においてアーム部８と対向する壁部９Ａにはカセット１の後方に向かって入り込んだ第１嵌合部１０が形成され、また、ヘッド装着部９の左側側壁には第１嵌合部１０と直交する方向（壁部９Ａに沿った方向）に入り込んだ第２嵌合部１１が形成されている。これらの各第１嵌合部１０、第２嵌合部１１は、後述するように、サーマルヘッド４４を支持するヘッドホルダ４５に形成された２つの各突起部（図示せず）に嵌合されて、ヘッド装着部９に対するヘッドホルダ４５の装着を各インクリボン１９、フィルムテープ１７に干渉することなく確実に行うためのものである。
【００１７】
更に、各インクリボン１９、フィルムテープ１７の走行方向に関し、ヘッド装着部９の下流側において、テープ送りローラ１２が支持孔に回動可能に支持されており、かかるテープ送りローラ１２は、それに対向する側からテープ送りローラ１２に圧接されるサブローラ（図示略）との協働により、テープスプール１８からフィルムテープ１７、及び、テープスプール２３から両面粘着テープ２２を引き出すとともに、サーマルヘッド４４によりインクリボン１９を介して文字等が印字されたフィルムテープ１７と両面粘着テープ２２とを、相互に接着するものである。
【００１８】
また、テ−プ送りローラ１２の近傍位置には上下一対の規制部材１４、１４が設けられており、これらの各規制部材１４、１４は、サーマルヘッド４４の下流側にて文字等が印字されたフィルムテープ１７を幅方向に規制案内するものであり、フィルムテープ１７と両面粘着テープ２２との間に位置ずれを生じることなく適正に接着するためのものである。
【００１９】
カセット１の後側の左右両側縁部には、第２被検出部１５と第１被検出部１３とがカセット１の厚さ方向の略中途位置に鰭状に突出されて設けられる。カセット１の右後縁位置における第１被検出部１３には、カセット１の種類（例えば、各フィルムテープ１７の幅、インクリボン１９に塗布されたインクの色等によりカセット１の種類が特定される）を検出するために、所定のパターンをもって複数個のスイッチ孔１３Ａが上下方向に穿設されている。スイッチ孔１３Ａの形成パターンは、各カセット１の種類に従って異なるパターンとされており、各スイッチ孔１３Ａにより形成されるパターンは、印字テ−プ作成装置２５側のカセット収納部３１に配設された検知部４０から突出する複数個の検出スイッチ３２（図７参照）のオン、オフの組合せに基づいて検出されるものである。また、第１被検出部１３には、後述の位置決めピン３６が嵌まるピン孔３８が形成されている。
【００２０】
次に、印字テ−プ作成装置２５の構成について図４〜図１０を参照しながら説明する。図８乃至図１０の示すように、印字テ−プ作成装置２５における本体ケース２６の後端に取付けられる軸２８を中心にして、蓋体２７の後端が上下回動して開閉可能に装着されている。本体ケース２６の上面前側には印字データや印字指令を入力するためのキータッチパネル２９が設けられている。本体ケース２６の後側には上面開放状のカセット収納部３１が形成されている。該カセット収納部３１には、金属製の底フレーム３０から、前記ヘッドホルダ４５、係合リブ付きのテープ駆動軸３３、係合リブ付きのリボン巻取軸３４が立設されており、カセット１をカセット収納部３１にセットしたとき、テープ送りローラ１２の内径部にテープ駆動軸３３が嵌まり、リボン巻取スプール２１の内径部にリボン巻取軸３４が嵌まる。そして、テープ駆動軸３３及びリボン巻取軸３４が図示しない駆動モータ及び伝動ギヤ群を介して回転させられる。
【００２１】
前記カセット収納部３１には、フィルムテープ１７の幅寸法が異なるカセット１を適宜セットできるように構成されている。この場合、カセット１に収納するフィルムテープ１７（対応するインクリボン１９）の幅寸法が異なると、当該カセット１の上ケース２から下ケース３までのカセット厚さ寸法Ｈ１は必然的に相違するが、このカセット厚さ寸法Ｈ１に拘らず、前記第１被検出部１３と第２被検出部１５とカセット１の右側前部の鰭状の突起部１６（図１及び図２（ａ）参照）との各厚さ寸法Ｈ２は同一となるように形成する。例えば、図８及び図９に示す１２ｍｍ幅のフィルムテープ１７を収納したカセット１のカセット寸法Ｈ１は、図１０〜図１２に示す２４ｍｍ幅のフィルムテープ１７を収納したカセット１のカセット寸法Ｈ１とは異なるが、それぞれのカセット１の前記第１被検出部１３と第２被検出部１５と鰭状の前記突起部１６の前記厚さ寸法Ｈ２はどれも同じ厚さである。
【００２２】
他方、図４、図５、図９〜図１２に示すように、前記底フレーム３０から上向きに立設した２本の位置決めピン３５、３６は、前記カセット１に凹み形成されたピン孔３７，３８に嵌まって、且つ、位置決めピン３５，３６の先端面がピン孔３７，３８の底面に当接してカセット１がカセット収納部３１内で適正な位置にセットできるようにするものである。
【００２３】
さらに、カセット収納部３１の右後側の前記検出スイッチ３２が配置された検知部４０は、カセット１における前記第１被検出部１３の下面と対向し、他方、カセット収納部３１の左後側に立設した支持ピン４１は第２被検出部１５の下面に当接し、カセット収納部３１の右前側から立設した支持ピン４２はカセット１における前記突起部１６の下面に当接するように構成されている（図９〜図１１参照）。
【００２４】
したがって、支持部としての前記位置決めピン３５、３６、支持ピン４１，４２の高さ寸法を所定の値に設定することにより、各カセット１はそのカセット厚さ寸法の大小に拘らず、略水平状に支持され、且つ収納されるフィルムテープ１７の幅方向の中心高さ位置が同じになるように設定されている。
【００２５】
次に、前記カセット収納部３１にカセット１が適正な姿勢でセットされたか否かを検知できるカセット収納検出装置の構成について説明する。図４、図８乃至図１４に示す参考例では、前記カセット収納部３１の上方を開閉可能に覆うための蓋体２７の内面には、前記回動中心である軸２８に近い側の左右に、一対の押圧体、すなわち、第１押圧体５１と第２押圧体５２とが下向きに突設されている。この場合、合成樹脂製の蓋体２７に対して前記両押圧体５１，５２は一体的に形成することができる。また、第１押圧体５１は前記カセット収納部３１にセットされたカセット１における第１被検出部１３の上面を下向きに押圧できる位置に配置され、第２押圧体５２は同じく第２被検出部１５の上面を下向きに押圧できる位置に配置されている。本参考例では、第１押圧体５１及び第２押圧体５２の断面は、補強リブを伴った平板状であって下端面に偏平な押圧部５５を有する。
【００２６】
なお、第１押圧体５１と第２押圧体５２は、その下向き長さが長いことと、前記蓋体２７の回動中心に近い側に設けられていることから、蓋体２７を大きく開いたとき本体ケース２６の奥壁２６ａに干渉しないように、当該奥壁２６ａには、蓋体２７の回動につれて第１押圧体５１及び第２押圧体５２が通過し得る切欠き部５３，５４が形成されている（図５及び図６参照）。この構成により、例えば、幅寸法１２mmフィルムテープ１７が収納されたカセット１をカセット収納部３１に正規の姿勢及び位置にセットする。正規の位置とは、カセット１の位置決めのためのピン孔３７、３８にそれぞれ位置決めピン３５、３６が平行状に挿入され、且つ位置決めピン３５，３６の先端面がピン孔３７，３８の底面に当接した位置であり、セットされたカセット１は水平状（支持部としての前記支持ピン４１，４２の先端に、カセット１の第１被検出部１３、第２被検出部１５及び突起部１６の各下面が当接している状態）であるのが正規の姿勢である。
【００２７】
次いで、蓋体２７を閉じた状態では、図８及び図１４に示すように、第１押圧体５１により第１被検出部１３を下向きに押圧するので、ピン孔３８の底面と位置決めピン３６の先端面がしっかりと確実に当接される一方、図９及び図１４に示すように、第２押圧体５２にて第２被検出部１５を下向きに押圧して、その下面が支持ピン４１にてしっかりと支持される。このような状態のときには、セットされたカセット１は水平状態であって、且つ正規の位置にセットされているので、第１被検出部１３における所定のスイッチ孔１３Ａに検出スイッチ３２が嵌まり、当該カセット１の種類等を検知することができ、且つ蓋体２７はきっちりと閉まり、本体ケース２６と略同じ面になるので、作業者はカセット１が正規の位置で且つ正規の姿勢でセットされたことが直ちに判断できるのである。
【００２８】
２４mm幅のフィルムテープ１７を収納したカセット１を前記カセット収納部３１に正規の姿勢且つ正規の位置にセットした場合を図１０及び図１１に示す。この場合も前記と同じく蓋体２７がきっちりと閉まるので、カセット１が正規の位置で且つ正規の姿勢でセットされたことが直ちに判断できるのである。
【００２９】
なお、図１２は、カセット収納部３１に対してカセット１が傾斜状に嵌まった場合等、第２被検出部１５の箇所が浮き上がった非正規の姿勢でセットされた状態を示す。この場合には、第２押圧体５２が第２被検出部１５を正規の位置で押圧することができず（第２押圧体５２の下端の押圧部５５が第２被検出部１５の角等に当たる）、従って、蓋体２７は半閉じ状態（本体ケース２６の上面に対して大きく隙間が存在する状態）となり、使用者は、カセット１が正規の姿勢でセットされていないことが直ちに判断できるのである。
【００３０】
同様に、第１被検出部１３が浮き上がった状態でカセット１をセットした場合にも、第１押圧体５１が第１被検出部１３の所定の箇所を押圧できず、蓋体２７が半閉じ状態となる。さらに、前記第１被検出部１３及び第２被検出部１５の両方が浮き上がる状態でも、蓋体２７がきっちりと閉じないので、カセット１の収納姿勢を直ちに判断できるのである。
【００３１】
次に、第一乃至第三の実施形態を図１５乃至図２７を参照して説明する。図１５は第一の実施形態におけるカセット収納部１３１にカセット１をセットした状態の本体ケースの右側断面図、図１６は同蓋体１２７の内側を示す平面図、図１７は図１６に示す蓋体１２７を矢印１６Ａ方向から見た側面図、図１８は図１６に示す蓋体１２７を矢印１６Ｂ方向から見た側面図、図１９は第二の実施形態におけるカセット収納部２３１にカセット１をセットした状態の本体ケースの平面図、図２０は第二の実施形態における蓋体２２７の内側を示す平面図、図２１は図２０に示す蓋体２２７を矢印２０Ａ方向から見た側面図、図２２は図２０に示す蓋体２２７を矢印２０Ｂ方向から見た側面図、図２３は第三の実施形態におけるカセット収納部３３１にカセット１をセットした状態の蓋体開き位置の印字テープ作成装置の斜視図、図２４は第三の実施形態におけるカセット収納部３３１にカセット１をセットした状態の本体ケースの平面図、図２５は第三の実施形態における蓋体３２７の内側を示す平面図、図２６は図２５に示す蓋体３２７を矢印２５Ａ方向から見た側面図、図２７は図２５に示す蓋体３２７を矢印２５Ｂ方向から見た側面図である。
【００３２】
これらの実施形態は、参考例と同一のカセット１を収納するカセット収納部を備え、参考例と同様な印字機構によりカセット１に収納されたテープ状の被印字媒体へ印字を行う印字テープ作成装置である。これらの印字テープ作成装置もカセット１が適正な姿勢でカセット収納部にセットされたか否かを検知できるカセット収納検出装置を備えている。このカセット収納検出装置以外は、基本的に参考例と同様な構成にて動作するものであるので説明を省略し、各実施形態におけるカセット収納検出装置の構成について以下に説明する。
【００３３】
まず、第一の実施形態におけるカセット収納検出装置について図１５乃至図１８を参照して説明する。
【００３４】
カセット収納部１３１の上方を開閉可能に覆うための蓋体１２７は、軸穴１２８Ａ、１２８Ｂを回動中心として回動することにより、カセット収納部１３１の上方で開閉する。蓋体１２７は合成樹脂製であり、その内面には、第１押圧体１５１、第２押圧体１５２、第３押圧体１５３が、蓋体１２７から下向きに突出するように蓋体１２７に対して一体に形成されている。
【００３５】
蓋体１２７が完全に閉じられ、蓋体１２７がカセット収納部１３１の上方を覆った際に、参考例と同様に、第１押圧体１５１はカセット収納部１３１にセットされたカセット１における第１被検出部１３の上面を下向きに押圧できる位置に配置され、第２押圧体１５２は同じく第２被検出部１５の上面を下向きに押圧できる位置に配置されている。同様な状態において、第３押圧体１５３は、カセット１における第３被検出部１１５の上面を下向きに押圧できる位置に配置されている。また、第１押圧体１５１、第２押圧体１５２、第３押圧体１５３の下端面は、参考例と同様な偏平な形をした押圧部となっている。
【００３６】
蓋体１２７の内面には、更にカセット押さえ部材（押さえ板ともいう）１５４が設けられている。カセット押さえ部材１５４の一端には、カセットを押圧するための押圧部（押圧体ともいう）１５５が形成されており、他端は、支持部１５６にて回動可能に支持されている。支持部１５６においては、押圧部１５５がカセット収納部１３１にセットされたカセット１を下向きに付勢する方向に、カセット押さえ部材１５４が回動するようカセット押さえ部材１５４に対してバネにより回動力が付与されている。蓋体１２７が完全に閉じられた際、カセット１の上面において、第１乃至第３の被検出部１３，１５、１１５が設けられている３つのコーナーとは異なる残りのコーナーへカセット１の上面の中心よりやや寄った位置を、バネ押圧部（押圧体ともいう）１５５が押圧できるように、カセット押さえ部材１５４が配置されている。
【００３７】
よって、カセット収納部１３１に対してカセット１が多少傾斜状に嵌まった場合であっても、蓋体１２７が閉じる方向に向かって回動されるのに伴い、カセット押さえ部材１５４がカセット１をカセット収納部１３１の底面に向かって徐々に強く付勢していく。従って、カセット収納部１３１におけるカセット１の姿勢が正規の姿勢に補正され易くなる効果がある。
【００３８】
一方、カセット収納部１３１に対してカセット１がかなり傾斜状に嵌まったため、カセット押さえ部材１５４によるこのような付勢力がカセット１へ加えられてもカセット１が正規の姿勢に補正されないことも起こり得る。この場合、第１乃至第３の被検出部１３，１５、１１５の何れか或いは複数の被検出部が浮き上がった非正規の姿勢のままで蓋体１２７が閉じられようとするため、第１押圧体１５１、第２押圧体１５２、第３押圧体１５３のうち、浮き上がった被検出部に対応する押圧体は、参考例の場合と同様に、浮き上がった被検出部を正規の位置で押圧することができない。従って、蓋体１２７は、参考例の場合と同様に、半閉じ状態となり、使用者は、カセット１が正規の姿勢でセットされていないことが直ちに判断できるのである。
【００３９】
次に、第二の実施形態におけるカセット収納検出装置について図１９乃至図２２を参照して説明する。
【００４０】
カセット収納部２３１の上方を開閉可能に覆うための蓋体２２７は、回動中心部２２８Ａ、２２８Ｂを回動中心として回動することにより、カセット収納部２３１の上方で開閉する。蓋体２２７は合成樹脂製であり、その内面には、第１乃至第４押圧体２５１、２５２、２５３、２５４が、蓋体２２７から下向きに突出するように形成されている。
【００４１】
第１乃至第２押圧体２５１、２５２は、蓋体２２７の内面に直接固定されており、第３乃至第４押圧体２５３、２５４は押さえ板２５５を介して蓋体２２７の内面に設けられている。
【００４２】
押さえ板２５５は、バネ２５７により端部２５６を回動中心として、カセット収納部２３１にセットされたカセット１へ向かって付勢されている。従って、第３乃至第４押圧体２５３、２５４は、押さえ板２５５と一体になってカセット収納部２３１にセットされたカセット１へ向かって付勢されることになる。これにより、カセット収納部２３１の上方で、蓋体２２７が閉じていくにしたがって、カセット１へ向かって押さえ板と一体になってバネ２５７により付勢されている第３乃至第４押圧体２５３、２５４が、カセット１をカセット収納部２３１へ向かって付勢していく。よって、カセット１が正規の位置から多少ずれてカセット収納部２３１にセットされた状態で、蓋体２２７が閉じられ始めたとしても、第３乃至第４押圧体２５３、２５４がカセット１を付勢して正規の位置へ押しやることが可能となる。
【００４３】
蓋体２２７が完全に閉じられ、蓋体２２７がカセット収納部２３１の上方を覆った際には、参考例と同様に、第１押圧体２５１はカセット収納部２３１にセットされたカセット１における第１被検出部１３の上面を下向きに押圧できる位置に配置され、第２押圧体２５２は同じく第２被検出部１５の上面を下向きに押圧できる位置に配置されている。更に、第３及び第４押圧体２５３、２５４は、カセット１における第３及び第４被検出部１１５、２１５の上面を下向きに押圧できる位置に配置されている。また、第１乃至第４押圧体２５１、２５２、２５３、２５４の下端面は、参考例の押圧体５１、５２と同様な偏平な形をした押圧部となっている。
【００４４】
第１及び第２押圧体２５１、２５２は、上述のように回動可能な押さえ板２５５に設けられているのではなく、蓋体２２７の内側に固定されて設けられている。従って、カセット１がカセット収納部２３１における正規の位置に装着されているか否かについて、より厳密に検出することができる。よって、少なくとも一つの押圧体は、前述の第１及び第２押圧体２５１、２５２のように蓋体２２７の内側に固定されて設けられていることが望ましい。
【００４５】
カセット収納部２３１に対してカセット１が傾斜状に嵌まり、第１乃至第４の被検出部１３，１５、１１５、２１５の何れか或いは複数の被検出部の箇所が浮き上がった非正規の姿勢でセットされた場合には、第１乃至第４押圧体２５１、２５２、２５３、２５４の内、浮き上がった被検出部に対応する押圧体は、参考例の場合と同様に、浮き上がった被検出部を正規の位置で押圧することができない。従って、蓋体２２７は、参考例及び第一の実施形態の場合と同様に、半閉じ状態となり、使用者は、カセット１が正規の姿勢でセットされていないことが直ちに判断できるのである。
【００４６】
次に、第三の実施形態におけるカセット収納検出装置について図２３乃至図２７を参照して説明する。
【００４７】
カセット収納部３３１の上方を開閉可能に覆うための蓋体３２７は、回動中心部３２８Ａ、３２８Ｂを回動中心として回動することにより、カセット収納部３３１の上方で開閉する。蓋体３２７は合成樹脂製であり、その内面には、第１乃至４押圧体３５１、３５２、３５３、３５４が、蓋体３２７から下向きに突出するように形成されている。
【００４８】
本実施形態においても、第二の実施形態と類似した構成をとっており、  第２押圧体３５２は、蓋体３２７の内面に直接固定されており、第１、第３、第４押圧体３５１、３５３、３５４は押さえ板３５５を介して蓋体３２７の内面に設けられている。
【００４９】
押さえ板３５５は、バネ３５７により、カセット収納部３３１にセットされたカセット１へ向かって付勢されている。従って、第１、第３、第４押圧体３５１、３５３、３５４は押さえ板３５５と一体になってカセット収納部３３１にセットされたカセット１へ向かって付勢されることになる。
【００５０】
蓋体３２７が完全に閉じられ、蓋体３２７がカセット収納部３３１の上方を覆った際に、参考例と同様に、第１押圧体３５１はカセット収納部３３１にセットされたカセット１における第１被検出部１３の上面を下向きに押圧できる位置に配置され、第２押圧体３５２は同じく第２被検出部１５の上面を下向きに押圧できる位置に配置されている。更に、第３及び第４押圧体３５３、３５４は、カセット１における第３及び第４被検出部１１５、２１５の上面を下向きに押圧できる位置に配置されている。また、第１乃至第４押圧体３５１、３５２、３５３、３５４の下端面は、参考例の押圧体５１、５２と同様な偏平な形をした押圧部となっている。
【００５１】
カセット収納部３３１に対してカセット１が傾斜状に嵌まり、第１乃至第４の被検出部１３，１５、１１５、２１５の何れか或いは複数の被検出部の箇所が浮き上がった非正規の姿勢でセットされた場合には、第１乃至第４押圧体３５１、３５２、３５３、３５４の内、浮き上がった被検出部に対応する押圧体は、参考例の場合と同様に、浮き上がった被検出部を正規の位置で押圧することができない。従って、蓋体３２７は、参考例、第一及び第二の実施形態の場合と同様に、半閉じ状態となり、使用者は、カセット１が正規の姿勢でセットされていないことが直ちに判断できるのである。
【図面の簡単な説明】
【００５２】
【図１】カセットの斜視図である。
【図２】（ａ）はカセットの平面図、（ｂ）はカセットの下面図である。
【図３】カセットの上ケースを除いた状態の平面図である。
【図４】参考例におけるカセット収納部にカセットをセットしていない状態の蓋体開き位置の印字テープ作成装置の斜視図である。
【図５】参考例におけるカセット収納部にカセットをセットしていない状態の本体ケースの平面図である。
【図６】参考例におけるカセット収納部にカセットをセットした状態の蓋体開き位置の印字テープ作成装置の斜視図である。
【図７】第１被検出部及び検知部の側断面図である。
【図８】参考例におけるカセット収納部に、１２mm幅のフィルムテープを収納したカセットを正規の姿勢でセットした状態の要部右側断面図である。
【図９】参考例におけるカセット収納部に、１２mm幅のフィルムテープを収納したカセットを正規の姿勢でセットした状態の要部左側断面図である。
【図１０】参考例におけるカセット収納部に、２４mm幅のフィルムテープを収納したカセットを正規の姿勢でセットした状態の要部右側断面図である。
【図１１】参考例におけるカセット収納部に、２４mm幅のフィルムテープを収納したカセットを正規の姿勢でセットした状態の要部左側断面図である。
【図１２】参考例におけるカセット収納部に、２４mm幅のフィルムテープを収納したカセットを非正規の姿勢でセットした状態の要部左側断面図である。
【図１３】参考例における蓋体の内側を示す平面図である。
【図１４】参考例におけるカセット収納部にカセットをセットした状態の本体ケースの平面図である。
【図１５】第一の実施形態におけるカセット収納部にカセットをセットした状態の本体ケースの右側断面図である。
【図１６】第一の実施形態における蓋体の内側を示す平面図である。
【図１７】図１６に示す蓋体を矢印１６Ａ方向から見た側面図である。
【図１８】図１６に示す蓋体を矢印１６Ｂ方向から見た側面図である。
【図１９】第二の実施形態におけるカセット収納部にカセットをセットした状態の本体ケースの平面図である。
【図２０】第二の実施形態における蓋体の内側を示す平面図である。
【図２１】図２０に示す蓋体を矢印２０Ａ方向から見た側面図である。
【図２２】図２０に示す蓋体を矢印２０Ｂ方向から見た側面図である。
【図２３】第三の実施形態におけるカセット収納部にカセットをセットした状態の蓋体開き位置の印字テープ作成装置の斜視図である。
【図２４】第三の実施形態におけるカセット収納部にカセットをセットした状態の本体ケースの平面図である。
【図２５】第三の実施形態における蓋体の内側を示す平面図である。
【図２６】図２５に示す蓋体を矢印２５Ａ方向から見た側面図である。
【図２７】図２５に示す蓋体を矢印２５Ｂ方向から見た側面図である。
【符号の説明】
【００５３】
１  カセット
１３  第１被検出部
１５  第２被検出部
１６  突起部
２５  印字テープ作成装置
２６  本体ケース
１２７  蓋体
１５１  第１押圧体
１５２  第２押圧体
１５４  押え板としての押え部材
１５５  他の押圧体としてのバネ押圧部
【図１】
2008254449.tif 000003
【図２】
2008254449.tif 000004
【図３】
2008254449.tif 000005
【図４】
2008254449.tif 000006
【図５】
2008254449.tif 000007
【図６】
2008254449.tif 000008
【図７】
2008254449.tif 000009
【図８】
2008254449.tif 000010
【図９】
2008254449.tif 000011
【図１０】
2008254449.tif 000012
【図１１】
2008254449.tif 000013
【図１２】
2008254449.tif 000014
【図１３】
2008254449.tif 000015
【図１４】
2008254449.tif 000016
【図１５】
2008254449.tif 000017
【図１６】
2008254449.tif 000018
【図１７】
2008254449.tif 000019
【図１８】
2008254449.tif 000020
【図１９】
2008254449.tif 000021
【図２０】
2008254449.tif 000022
【図２１】
2008254449.tif 000023
【図２２】
2008254449.tif 000024
【図２３】
2008254449.tif 000025
【図２４】
2008254449.tif 000026
【図２５】
2008254449.tif 000027
【図２６】
2008254449.tif 000028
【図２７】
2008254449.tif 000029